(57)【要約】【課題】各種電子機器に使用される開閉装置に関し、ガタつきのない良好な開閉操作感触のものを提供することを目的とする。【解決手段】固定カム２に弾接する可動カム２４を可動体２３の内周に設けると共に、可動体２３の外周に平坦な保持部２３Ａを形成し、この保持部２３Ａを可動ケース５の平坦なガイド部５Ａに当接させることによって、可動体２３の保持部２３Ａを、可動ケース５のガイド部５Ａとほぼ同じ幅で略長方形状の大きな面積に形成できるため、繰返し開閉を行っても保持部２３Ａの磨耗が少なく、ガタつきのない良好な開閉操作感触の開閉装置を得ることができる。【選択図】図１
2005299724.tif 000002
【特許請求の範囲】
【請求項１】
側面に固定カムが設けられた固定体と、この固定体に対し回転可能に配置されると共に、内周に上記固定カムに弾接する可動カムが設けられた略円筒状の可動体と、この可動体を軸線方向へ移動可能に収納した略円筒状の可動ケースからなり、上記可動体の外周に平坦な保持部を形成すると共に、この保持部を上記可動ケースの平坦なガイド部に当接させた開閉装置。
【発明の詳細な説明】
【技術分野】
【０００１】
本発明は、携帯電話やパーソナルコンピュータ等の各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、より良好な開閉操作感触の得られるものが求められている。
【０００３】
このような従来の開閉装置について、図３〜図５を用いて説明する。
【０００４】
なお、これらの図面の内、断面図は固定カムと可動カムの関係を判り易くするため、径方向を拡大して表わしている。
【０００５】
図４は従来の開閉装置の断面図、図５は同分解斜視図であり、同図において、１は略円筒状で金属または樹脂製の固定体で、この右側面外周には突出部２Ａ、及びこの突出部２Ａから上下へ延出する二つの傾斜部２Ｂ、２Ｃから形成された固定カム２が設けられている。
【０００６】
そして、３は同じく略円筒状で金属または樹脂製の可動体で、固定体１に対し開閉方向へ回転可能に配置され、固定カム２との対向面である左側面外周には可動カム４が設けられると共に、外周には略三角形状の平坦な保持部３Ａが形成されている。
【０００７】
また、５は略円筒状で金属または樹脂製の可動ケースで、上下面には平坦なガイド部５Ａが形成され、このガイド部５Ａ内面に可動体３外周の保持部３Ａが当接して、可動体３が可動ケース５内に軸線方向へ移動可能に収納されている。
【０００８】
さらに、６は可動体３右側面と可動ケース５右底面との間にやや撓んだ状態で装着されたコイル状のばねで、このばね６によって可動体３が左方向へ付勢され、可動カム４の先端が固定カム２の傾斜部２Ｂへ弾接している。
【０００９】
また、７は略円柱状の固定軸で、この固定軸７の左端部に固定体１が固着されると共に、固定軸７右端部は可動体３の中空部やばね６を挿通し、止め輪８によって可動ケース５右側面に回転可能に装着されている。
【００１０】
そして、可動ケース５左側面から固定体１の固定部１Ａが回転可能に突出すると共に、この固定体１や可動体３、ばね６等が可動ケース５内に収納されて、開閉装置１０が構成されている。
【００１１】
また、このように構成された開閉装置１０は、例えば、図３の携帯電話の斜視図に示すように、固定体１の固定部１Ａが上面に複数のキーからなる操作部１２Ａやマイクロフォン等の音声入力部１２Ｂが形成された固定筐体１２へ、可動ケース５が、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支されて電子機器が構成される。
【００１２】
以上の構成において、図４に示したように、可動カム４の先端が固定カム２下側の傾斜部２Ｂへ弾接した状態では、可動体３がばね６によって下方向の閉方向へ付勢され、この力が保持部３Ａから可動ケース５のガイド部５Ａ内面に加わっているため、可動ケース５が固着された可動筐体１３は、固定筐体１２に対して閉じた状態で保持されている。
【００１３】
また、この閉状態から、可動筐体１３を手で開くと、可動筐体１３に固着された可動ケース５を介して、可動体３の保持部３Ａにガイド部５Ａ内面から上方向へ回転する力が加わるため、可動体３がばね６を撓めながら可動ケース５内を右方向へ移動し、可動カム４先端は固定カム２の傾斜部２B上を突出部２Ａの方向へ弾接摺動する。
【００１４】
そして、可動カム４先端が固定カム２の突出部２Ａを超えて上側の傾斜部２Ｃへ弾接すると、可動体３がばね６によって上方向の開方向へ付勢され、この力が保持部３Ａから可動ケース５のガイド部５Ａ内面に加わるため、可動ケース５が固着された可動筐体１３は開いた状態となる。
【００１５】
つまり、可動筐体１３に固着された可動ケース５を回転させ、この力をガイド部５Ａ内面から保持部３Ａに加えることによって、可動体３を軸線方向へ移動させ、可動カム４先端を固定カム２の傾斜部２Ｂまたは２Ｃのいずれかへ弾接させて、固定筐体１２に対する可動筐体１３の開閉操作が行われるように構成されているものであった。
【００１６】
なお、この出願の発明に関連する先行技術文献情報としては、例えば、特許文献１が知られている。
【特許文献１】特開２００２−８９５４２号公報
【発明の開示】
【発明が解決しようとする課題】
【００１７】
しかしながら、上記従来の開閉装置においては、可動カム４が可動体３の外周に設けられているため、可動筐体１３の開閉時等に、可動ケース５のガイド部５Ａ内面との間で回転方向への力が加わる保持部３Ａが略三角形等の形状となって、ガイド部５Ａ内面に当接する平坦な面積をあまり大きくすることができず、特に可動体３を樹脂等の軟らかな材料で形成した場合には、開閉を繰返すと保持部３Ａが磨耗し、この結果、開閉操作にガタつきが生じ易くなるという課題があった。
【００１８】
本発明は、このような従来の課題を解決するものであり、開閉操作時のガタつきがなく、良好な開閉操作感触の開閉装置を提供することを目的とする。
【課題を解決するための手段】
【００１９】
上記目的を達成するために本発明は、固定カムに弾接する可動カムを可動体の内周に設けると共に、可動体の外周に平坦な保持部を形成し、この保持部を可動ケースの平坦なガイド部に当接させて開閉装置を構成したものであり、可動体の保持部を可動ケースのガイド部とほぼ同じ大きさに形成できるため、繰返し開閉を行っても保持部の磨耗が少なく、ガタつきのない良好な開閉操作感触の開閉装置を得ることができるという作用を有する。
【発明の効果】
【００２０】
以上のように本発明によれば、ガタつきがなく、良好な開閉操作感触の開閉装置を実現することができるという有利な効果が得られる。
【発明を実施するための最良の形態】
【００２１】
以下、本発明の実施の形態について、図１〜図３を用いて説明する。
【００２２】
なお、これらの図面の内、断面図は固定カムと可動カムの関係を判り易くするため、径方向を拡大して表わしている。
【００２３】
また、背景技術の項で説明した構成と同一構成の部分には同一符号を付して、詳細な説明を簡略化する。
【００２４】
（実施の形態）
図１は本発明の一実施の形態による開閉装置の断面図、図２は同分解斜視図であり、同図において、１は略円筒状で金属または樹脂製の固定体で、この右側面外周には突出部２Ａ、及びこの突出部２Ａから上下へ延出する二つの傾斜部２Ｂ、２Ｃから形成された固定カム２が設けられている。
【００２５】
そして、２３は同じく略円筒状で金属または樹脂製の可動体で、固定体１に対し開閉方向へ回転可能に配置され、固定カム２との対向面である左側面内周には可動カム２４が設けられると共に、外周上下面には略長方形状の平坦な保持部２３Ａが形成されている。
【００２６】
また、５は略円筒状で金属または樹脂製の可動ケースで、上下面には平坦なガイド部５Ａが形成され、このガイド部５Ａ内面に、ガイド部５Ａよりやや小さな幅の可動体２３外周の保持部２３Ａが当接して、可動体２３が可動ケース５内に軸線方向へ移動可能に収納されている。
【００２７】
さらに、６は可動体２３右側面と可動ケース５右底面との間にやや撓んだ状態で装着されたコイル状のばねで、このばね６によって可動体２３が左方向へ付勢され、可動カム２４の先端が固定カム２の傾斜部２Ｂへ弾接している。
【００２８】
また、７は略円柱状の固定軸で、この固定軸７の左端部に固定体１が固着されると共に、固定軸７右端部は可動体２３の中空部やばね６を挿通し、止め輪８によって可動ケース５右側面に回転可能に装着されている。
【００２９】
そして、可動ケース５左側面から固定体１の固定部１Ａが回転可能に突出すると共に、固定体１や可動体２３、ばね６等が可動ケース５内に収納されて、開閉装置２０が構成されている。
【００３０】
また、このように構成された開閉装置２０は、例えば、図３の携帯電話の斜視図に示すように、固定体１の固定部１Ａが上面に複数のキーからなる操作部１２Ａやマイクロフォン等の音声入力部１２Ｂが形成された固定筐体１２へ、可動ケース５が、表面にＬＣＤ等の表示部１３Ａやスピーカ等の音声出力部１３Ｂが形成された可動筐体１３へ各々固着され、開閉装置２０によって固定筐体１２に対して可動筐体１３が開閉可能に軸支されて電子機器が構成される。
【００３１】
以上の構成において、図１に示したように、可動カム２４の先端が固定カム２下側の傾斜部２Ｂへ弾接した状態では、可動体２３がばね６によって下方向の閉方向へ付勢され、この力が保持部２３Ａから可動ケース５のガイド部５Ａ内面に加わっているため、可動ケース５が固着された可動筐体１３は、固定筐体１２に対して閉じた状態で保持されている。
【００３２】
また、この閉状態から、可動筐体１３を手で開くと、可動筐体１３に固着された可動ケース５を介して、可動体２３の保持部２３Ａにガイド部５Ａ内面から上方向へ回転する力が加わるため、可動体２３がばね６を撓めながら可動ケース５内を右方向へ移動し、可動カム２４先端は固定カム２の傾斜部２Ｂ上を突出部２Ａの方向へ弾接摺動する。
【００３３】
そして、可動カム２４先端が固定カム２の突出部２Ａを超えて上側の傾斜部２Ｃへ弾接すると、可動体２３がばね６によって上方向の開方向へ付勢され、この力が保持部２３Ａから可動ケース５のガイド部５Ａ内面に加わるため、可動ケース５が固着された可動筐体１３は開いた状態となる。
【００３４】
つまり、可動筐体１３に固着された可動ケース５を回転させ、この力をガイド部５Ａ内面から保持部２３Ａに加えることによって、可動体２３を軸線方向へ移動させ、可動カム２４先端を固定カム２の傾斜部２Ｂまたは２Ｃのいずれかへ弾接させて、固定筐体１２に対する可動筐体１３の開閉操作が行われるように構成されている。
【００３５】
そして、この時、可動カム２４は可動体２３の内周に設けられ、可動筐体１３の開閉時等に、可動ケース５のガイド部５Ａ内面との間で回転方向への力が加わる保持部２３Ａは、可動体２３外周にガイド部５Ａとほぼ同じ幅で、略長方形状の大きな面積で形成されているため、開閉が繰返されても磨耗や破損、及びこの結果としての開閉操作時のガタつき等が生じにくいように構成されている。
【００３６】
このように本実施の形態によれば、固定カム２に弾接する可動カム２４を可動体２３の内周に設けると共に、可動体２３の外周に平坦な保持部２３Ａを形成し、この保持部２３Ａを可動ケース５の平坦なガイド部５Ａに当接させることによって、可動体２３の保持部２３Ａを、ほぼ同じ幅で略長方形状の大きな面積に形成できるため、繰返し開閉を行っても保持部２３Ａの磨耗が少なく、ガタつきのない良好な開閉操作感触の開閉装置を得ることができるものである。
【産業上の利用可能性】
【００３７】
本発明による開閉装置は、ガタつきのない良好な開閉操作感触のものを得ることができ、各種電子機器の開閉装置として有用である。
【図面の簡単な説明】
【００３８】
【図１】本発明の一実施の形態による開閉装置の断面図
【図２】同分解斜視図
【図３】同携帯電話の斜視図
【図４】従来の開閉装置の断面図
【図５】同分解斜視図
【符号の説明】
【００３９】
１  固定体
１Ａ  固定部
２  固定カム
２Ａ  突出部
２Ｂ、２Ｃ  傾斜部
５  可動ケース
５Ａ  ガイド部
６  ばね
７  固定軸
８  止め輪
１２  固定筐体
１２Ａ  操作部
１２Ｂ  音声入力部
１３  可動筐体
１３Ａ  表示部
１３Ｂ  音声出力部
２０  開閉装置
２３  可動体
２３Ａ  保持部
２４  可動カム
【図１】
2005299724.tif 000003
【図２】
2005299724.tif 000004
【図３】
2005299724.tif 000005
【図４】
2005299724.tif 000006
【図５】
2005299724.tif 000007